(57)【要約】  蓄電池の劣化を抑制しながら、非常時に蓄電池にその性能を十分に発揮させる。蓄電池の温度の上限及び蓄電量の下限の少なくとも一方を含む制限を守ることができるように蓄電池の充放電電力の電力値及び充放電時間が制御される。通常時には、制限が第１の裕度を有する第１の制限に設定される。非常時には、制限が、第１の裕度より小さい第２の裕度を有するか、又は裕度を有しない第２の制限に設定される。
2020080010.tif 000002
【特許請求の範囲】
【請求項１】
蓄電池の温度の上限及び蓄電量の下限の少なくとも一方を含む制限を守ることができるように前記蓄電池の充放電電力の電力値及び充放電時間を制御する制御部と、
通常時には前記制限を第１の裕度を有する第１の制限に設定し、非常時には前記制限を前記第１の裕度より小さい第２の裕度を有するか、又は裕度を有しない第２の制限に設定する設定部と、
を備える蓄電池の制御装置。
【請求項２】
前記制限は、前記蓄電池の温度の上限を含み、
前記制御部は、前記蓄電池の温度の上限を守ることができるように前記蓄電池の充放電電力の電力値及び充放電時間を制御し、
前記第１の制限は、前記蓄電池の温度の第１の上限を含み、
前記第２の制限は、前記蓄電池の温度の第１の上限より高い前記蓄電池の温度の第２の上限を含む
請求項１の蓄電池の制御装置。
【請求項３】
前記制御部は、前記蓄電池の温度の上限を守ることができるように前記蓄電池の放熱量をさらに制御する
請求項２の蓄電池の制御装置。
【請求項４】
前記蓄電池は、ナトリウム−硫黄電池であり、
前記蓄電池の温度の第１の上限は、３４０℃であり、
前記蓄電池の温度の第２の上限は、３４０℃より高く３７０℃以下である
請求項２又は３の蓄電池の制御装置。
【請求項５】
前記制限は、前記蓄電池の蓄電量の下限を含み、
前記制御部は、前記蓄電池の蓄電量の下限を守ることができるように前記蓄電池の充放電電力の電力値及び充放電時間を制御し、
前記第１の制限は、前記蓄電池の蓄電量の第１の下限を含み、
前記第２の制限は、前記蓄電池の蓄電量の第１の下限より低い前記蓄電池の蓄電量の第２の下限を含む
請求項１から４までのいずれかの蓄電池の制御装置。
【請求項６】
前記蓄電池の蓄電量の第１の下限は、前記蓄電池の実際に使用することができる蓄電容量より小さい第１の蓄電容量を放電した場合の蓄電量であり、
前記蓄電池の蓄電量の第２の下限は、前記蓄電池の実際に使用することができる蓄電容量と同じ第２の蓄電容量を放電した場合の蓄電量である
請求項５の蓄電池の制御装置。
【請求項７】
前記第１の蓄電容量は、前記蓄電池の絶対容量から前記蓄電池の残留容量及び裕度を減じた蓄電容量であり、
前記第２の蓄電容量は、前記蓄電池の絶対容量から前記蓄電池の残留容量を減じた蓄電容量である
請求項５又は６の蓄電池の制御装置。
【請求項８】
前記第１の蓄電容量は、前記蓄電池の電圧が設定された電圧より高い電圧に達するまでに前記蓄電池が放電することができる蓄電容量であり、
前記第２の蓄電容量は、前記蓄電池の電圧が設定された電圧に達するまでに前記蓄電池が放電することができる蓄電容量である
請求項５から７までのいずれかの蓄電池の制御装置。
【請求項９】
前記通常時は、非停電時であり、
前記非常時は、停電時である
請求項１から８までのいずれかの蓄電池の制御装置。
【請求項１０】
蓄電池の温度の上限及び蓄電量の下限の少なくとも一方を含む制限を守ることができるように前記蓄電池の充放電電力の電力値及び充放電時間を制御する工程と、
通常時には前記制限を第１の裕度を有する第１の制限に設定し、非常時には前記制限を前記第１の裕度より小さい第２の裕度を有するか、又は裕度を有しない第２の制限に設定する工程と、
を備える蓄電池の制御方法。
【発明の詳細な説明】
【技術分野】
【０００１】
本発明は、蓄電池の制御装置及び蓄電池の制御方法に関する。
【背景技術】
【０００２】
独立システムは、離島、遠隔地等に構築され、他の系統に連系していない。独立システムは、独立系統、独立電力系統等とも呼ばれる。【０００３】
独立システムは、多くの場合は、再生可能エネルギー発電機、蓄電池、制御機器及び負荷を備える。再生可能エネルギー発電機、蓄電池及び制御機器は、電力を供給する電源システムを構成する。制御機器は、再生可能エネルギー発電機及び蓄電池を制御する。再生可能エネルギー発電機は、電力を発電する。蓄電池は、再生可能エネルギー発電機により発電された電力により充電される。制御機器及び負荷には、再生可能エネルギー発電機により発電された電力、及び蓄電池が放電した電力が供給される。【０００４】
蓄電池の充放電電力の電力値、充放電時間、放熱量等は、蓄電池の温度の上限、蓄電量の下限等を含む制限を守ることができるように制御される。制限は、蓄電池の劣化、故障等を抑制するための裕度を有するように設定される。例えば、蓄電池がナトリウム−硫黄電池である場合は、蓄電池の温度の上限が、ナトリウム−硫黄電池が動作する３７０℃に対して裕度を有する３４０℃に設定される。【０００５】
特許文献１に記載された技術においては、ナトリウム−硫黄電池モジュールであるモジュールの最高到達温度が、その運転時において３４０℃〜３７０℃に設定される（段落００３１及び００４０）。これにより、常に電池の充放電効率が高い状態でモジュールが運転される（段落００３１）。特許文献１は、モジュール温度が３７０℃を超えて上昇すると、単電池を構成する部材の劣化の進行が早くなることに言及する（段落００３１）。また、特許文献１は、モジュールが３４０℃未満の温度で運転されると、充放電効率が上がらず、モジュール自体の持つ性能、又はモジュールを構成する単電池の性能を十分に発揮できないことに言及する（段落００３１）。特許文献１に記載された技術においては、モジュールの放熱量の変更が、断熱容器上蓋が有する空洞部の真空度を調整することにより行われる（段落００３３−００３５）。【０００６】
特許文献２に記載された技術においては、集合電池が内蔵された筐体内の温度が一定の許容範囲に維持される（段落００２８）。特許文献２に記載された技術においては、蓄電池の温度が高くなる時期に先駆けて放熱量を多くするようにファンを備える放熱装置が制御される（段落００２０及び００３６）。【０００７】
特許文献３は、ナトリウム−硫黄電池の絶対容量は一定であるが、ナトリウム−硫黄電池の残留容量は時間経過とともに増加することに言及する（段落００３２）。また、特許文献３は、ナトリウム−硫黄電池の設計においては、使用可能容量に対して裕度を考慮し、残留容量が増加する分は裕度で補い、最終年まで使用可能容量を確保することに言及する（段落００３２）。【０００８】
特許文献４に記載された技術においては、ナトリウム−硫黄電池の放電中の温度が測定され、放電深度がカウントされ、ナトリウム−硫黄電池の放電中の両端間の作動電圧が内部抵抗の温度による補正及び放電深度による補正を加味した補正電圧に達した時点で放電が停止される（段落００１１）。
【先行技術文献】
【特許文献】
【０００９】
【特許文献１】特開平１１−５４１４６号公報
【特許文献２】国際公開第２０１６／１３６５０７号
【特許文献３】国際公開第２０１０／１０９９７７号
【特許文献４】特開２０００−１８２６６２号公報
【発明の概要】
【発明が解決しようとする課題】
【００１０】
蓄電池の温度の上限、蓄電量の下限等を含む制限は、蓄電池の劣化、故障等を抑制することに役立つが、低い頻度で発生する非常時に蓄電池にその性能を十分に発揮させることを妨げる。【００１１】
例えば、独立系統において停電が発生した場合は、蓄電池から制御機器及び負荷に電力が供給される。このため、停電が長時間に渡って続いた場合は、蓄電池の放電が長時間に渡って続き、制限を守るために蓄電池の放電を停止しなければならない場合がある。例えば、蓄電池の温度がその上限より高くなることを避けるために、蓄電池の性能を十分に発揮させることなく蓄電池の放電を停止しなければならない場合がある。また、蓄電池の蓄電量がその下限より低くなることを避けるために、蓄電池の性能を十分に発揮させることなく蓄電池の放電を停止しなければならない場合がある。そして、蓄電池の放電を停止しなければならなくなった場合は、制御機器への電力の供給が絶たれ、電源システムを構成する機器の劣化、故障等が起こる場合がある。【００１２】
この問題は、独立システムに備えられる蓄電池以外の蓄電池においても生じる。【００１３】
本発明は、この問題に鑑みてなされた。本発明が解決しようとする課題は、蓄電池の劣化を抑制しながら、非常時に蓄電池にその性能を十分に発揮させることである。
【課題を解決するための手段】
【００１４】
本発明は、蓄電池の制御装置に向けられる。【００１５】
蓄電池の制御装置は、制御部及び設定部を備える。【００１６】
制御部は、蓄電池の温度の上限及び蓄電量の下限の少なくとも一方を含む制限を守ることができるように蓄電池の充放電電力の電力値及び充放電時間を制御する。【００１７】
設定部は、通常時には、制限を第１の裕度を有する第１の制限に設定する。また、設定部は、非常時には、制限を第１の裕度より小さい第２の裕度を有するか、又は裕度を有しない第２の制限に設定する。【００１８】
本発明は、蓄電池の制御方法にも向けられる。
【発明の効果】
【００１９】
本発明によれば、通常時には、第１の裕度を有する第１の制限を守ることができるように蓄電池の充放電電力の電力値及び充放電時間が制御され、蓄電池の劣化が抑制される。また、非常時には、第１の裕度より小さい第２の裕度を有するか、又は裕度を有しない第２の制限を守ることができるように蓄電池の充放電電力の電力値及び充放電時間が制御され、蓄電池にその性能を十分に発揮させることができる。これにより、蓄電池の劣化を抑制しながら、非常時に蓄電池にその性能を十分に発揮させることができる。【００２０】
この発明の目的、特徴、局面及び利点は、以下の詳細な説明と添付図面とによって、より明白となる。
【図面の簡単な説明】
【００２１】
【図１】第１実施形態の独立システムを図示するブロック図である。
【図２】第１実施形態の独立システムに備えられるエネルギーマネジメントシステム（ＥＭＳ）、及び蓄電池を制御する制御機器を図示するブロック図である。
【図３】第１実施形態の独立システムにおいて設定される蓄電池の温度の上限の例を説明する図である。
【図４】第１実施形態の独立システムにおいて設定される蓄電池の蓄電量の下限の例を説明する図である。
【図５】第１実施形態の変形例の独立システムに備えられるＥＭＳ、及び蓄電池を制御する制御機器を図示するブロック図である。
【発明を実施するための形態】
【００２２】
１  独立システム
図１は、第１実施形態の独立システムを図示するブロック図である。
【００２３】
図１に図示される第１実施形態の独立システム１０００は、再生可能エネルギー発電機１０２０、再生可能エネルギー発電機１０２０を制御する制御機器１０２２、蓄電池１０２４、蓄電池１０２４を制御する制御機器１０２６、発電機１０２８、発電機１０２８を制御する制御機器１０３０、負荷１０３２、エネルギーマネジメントシステム（ＥＭＳ）１０３４及び配電線１０３６を備える。独立システム１０００がこれらの要素とは異なる要素を備えてもよい。独立システム１０００が、追加の再生可能エネルギー発電機、及び追加の再生可能エネルギー発電機を制御する制御機器を備えてもよい。独立システム１０００が、追加の蓄電池、及び追加の蓄電池を制御する制御機器を備えてもよい。独立システム１０００が、追加の発電機、及び追加の発電機を制御する制御機器を備えてもよい。発電機１０２８及び制御機器１０３０が省略されてもよい。独立システム１０００が、追加の負荷を備えてもよい。
【００２４】
再生可能エネルギー発電機１０２０、制御機器１０２２、蓄電池１０２４、制御機器１０２６、発電機１０２８、制御機器１０３０、負荷１０３２及びＥＭＳ１０３４は、配電線１０３６に電気的に接続されている。これにより、再生可能エネルギー発電機１０２０及び発電機１０２８により発電された電力で蓄電池１０２４を充電することができる。また、再生可能エネルギー発電機１０２０及び発電機１０２８により発電された電力、並びに蓄電池１０２４が放電した電力を、制御機器１０２２、制御機器１０２６、制御機器１０３０、負荷１０３２及びＥＭＳ１０３４に供給することができる。
【００２５】
再生可能エネルギー発電機１０２０は、太陽光発電機、風力発電機、流れ込み式水力発電機、地熱発電機、太陽熱発電機、バイオマス発電機等である。
【００２６】
蓄電池１０２４は、ナトリウム−硫黄電池、レドックスフロー電池、リチウムイオン電池、鉛電池、ニッケル水素電池等である。
【００２７】
発電機１０２８は、再生可能エネルギー発電機１０２０でなく発電電力を調整することができる発電機である。発電機１０２８は、ディーゼル発電機、ガスタービン発電機、貯水式水力発電機、調整池式水力発電機等である。
【００２８】
制御機器１０２２及び１０３０の各々は、通信機器、出力調整機器等を備える。制御機器１０２６は、通信機器、双方向変換器、ヒーター、放熱ファン、空調機等を備える。
【００２９】
２  蓄電池の充放電電力の電力値、充放電時間及び放熱量の制御
図２は、第１実施形態の独立システムに備えられるエネルギーマネジメントシステム、及び蓄電池を制御する制御機器を図示するブロック図である。
【００３０】
蓄電池１０２４を制御する制御機器１０２６は、双方向変換器１１００及び放熱ファン１１０２を備える。双方向変換器１１００は、入力された指令にしたがって、蓄電池１０２４が放電した電力を配電線１０３６に供給し、配電線１０３６から供給された電力で蓄電池１０２４を充電する。蓄電池１０２４の充放電電力の電力値は、双方向変換器１１００に入力された指令に応じて変化する。放熱ファン１１０２は、入力された指令にしたがって、蓄電池１０２４に放熱させるための空気流を生成する。蓄電池１０２４の放熱量は、放熱ファン１１０２に入力された指令に応じて変化する。
【００３１】
ＥＭＳ１０３４は、蓄電池１０２４の制御装置となり、制御部１１２０及び設定部１１２２を備える。制御部１１２０及び設定部１１２２は、コンピュータにプログラムを実行させることにより構成される。制御部１１２０及び設定部１１２２の全部又は一部がプログラムを実行しないハードウェアにより構成されてもよい。制御部１１２０及び設定部１１２２が、制御機器１０２６に備えられてもよい。
【００３２】
制御部１１２０は、双方向変換器１１００に対して指令を出力する。これにより、制御部１１２０は、蓄電池１０２４の充放電電力の電力値及び充放電時間を制御する。また、制御部１１２０は、放熱ファン１１０２に対して指令を出力する。これにより、制御部１１２０は、蓄電池１０２４の放熱量を制御する。
【００３３】
制御部１１２０は、蓄電池１０２４の温度の上限及び蓄電量の下限の少なくとも一方を含む制限を守ることができるように、蓄電池１０２４の充放電電力の電力値及び充放電時間を制御し、望ましくはこれらに加えて蓄電池１０２４の放熱量を制御する。蓄電池１０２４の温度の上限は、最高許容温度上限、最高到達温度等とも呼ばれる。
【００３４】
蓄電池１０２４が充電及び放電の少なくとも一方が行われる場合に温度が上昇する蓄電池である場合は、制御部１１２０が守らなければならない制限は、蓄電池１０２４の温度の上限を含む。充電及び放電の少なくとも一方が行われる場合に温度が上昇する蓄電池は、充電及び放電の少なくとも一方が行われる場合に発熱し、発熱する際の発熱量が環境への放熱量より大きい蓄電池である。ナトリウム−硫黄電池、リチウムイオン電池等は、通常の環境に設置された場合は、充電及び放電の少なくとも一方が行われる場合に温度が上昇する蓄電池となるが、極端に寒冷な環境に設置された場合は、充電及び放電の少なくとも一方が行われる場合に温度が上昇する蓄電池とならない場合もある。充電反応が発熱反応である蓄電池、及び充電反応が吸熱反応であるがジュール熱が吸熱反応により発生する吸熱より大きい蓄電池は、充電が行われる場合に発熱する蓄電池になる。放電反応が発熱反応である蓄電池、及び放電反応が吸熱反応であるがジュール熱が吸熱反応により発生する吸熱より大きい蓄電池は、放電が行われる場合に発熱する蓄電池になる。ナトリウム−硫黄電池においては、条件にもよるが、多くの場合は、充電反応により発生する吸熱がジュール熱よりも大きい。このため、ナトリウム−硫黄電池は、多くの場合は、放電が行われる場合に温度が上昇し充電が行われる場合に温度が下降する蓄電池である。
【００３５】
制御部１１２０が守らなければならない制限が蓄電池１０２４の温度の上限を含む場合は、制御部１１２０は、設定された蓄電池１０２４の温度の上限を守ることができるように、蓄電池１０２４の充放電電力の電力値及び充放電時間を制御し、望ましくはこれらに加えて蓄電池１０２４の放熱量を制御する。これにより、蓄電池１０２４の温度は、設定された蓄電池１０２４の温度の上限以下に維持される。
【００３６】
制御部１１２０が守らなければならない制限が蓄電池１０２４の蓄電量の下限を含む場合は、制御部１１２０は、設定された蓄電池１０２４の蓄電量の下限を守ることができるように蓄電池１０２４の充放電電力の電力値及び充放電時間を制御する。これにより、蓄電池１０２４の蓄電量は、設定された蓄電池１０２４の蓄電量の下限以上に維持される。
【００３７】
設定部１１２２は、通常時には、制御部１１２０が守らなければならない制限を、第１の裕度を有する第１の制限に設定する。また、設定部１１２２は、非常時には、制御部１１２０が守らなければならない制限を一時的に第１の制限より緩和することを許容し、当該制限を、第１の裕度より小さい第２の裕度を有するか、又は裕度を有しない第２の制限に設定する。通常時は、例えば非停電時であり、異常時は、例えば停電時である。非常時には、通常時に利用されない第１の裕度の少なくとも一部が利用される。第１の制限は、多数回設定することが許容される常用の制限である。第２の制限は、限られた回数だけ設定することが許容される一時的な制限である。
【００３８】
図３は、第１実施形態の独立システムにおいて設定される蓄電池の温度の上限の例を説明する図である。
【００３９】
制御部１１２０が守らなければならない制限が蓄電池１０２４の温度の上限を含む場合は、第１の制限は、図３に示される、蓄電池１０２４の温度の第１の上限ＴＵ１を含み、第２の制限は、図３に示される、蓄電池１０２４の温度の第１の上限ＴＵ１より高い蓄電池１０２４の温度の第２の上限ＴＵ２を含む。蓄電池１０２４の温度の第１の上限ＴＵ１は、蓄電池１０２４の温度の第１の裕度ＴＴ１を有する。蓄電池１０２４の温度の第２の上限ＴＵ２は、蓄電池１０２４の温度の第１の裕度ＴＴ１より小さい蓄電池１０２４の温度の第２の裕度を有するか、又は蓄電池１０２４の温度の裕度を有しない。図３には、蓄電池１０２４の温度の第２の上限ＴＵ２が蓄電池１０２４の温度の裕度を有しない場合が示されている。蓄電池１０２４がナトリウム−硫黄電池である場合は、望ましくは、蓄電池１０２４の温度の第１の上限ＴＵ１は、３４０℃であり、蓄電池１０２４の温度の第２の上限ＴＵ２は、３４０℃より高く３７０℃以下である。ナトリウム−硫黄電池は、放電時に発熱反応を起こす蓄電池であるので、蓄電池１０２４がナトリウム−硫黄電池である場合は、蓄電池１０２４の温度の上限ＴＵ１及びＴＵ２は、主に放電時に適用される。
【００４０】
図４は、第１実施形態の独立システムにおいて設定される蓄電池の蓄電量の下限の例を説明する図である。
【００４１】
制御部１１２０が守らなければならない制限が蓄電池１０２４の蓄電量の下限を含む場合は、第１の制限は、図４に示される、蓄電池１０２４の蓄電量の第１の下限ＳＬ１を含み、第２の制限は、図４に示される、蓄電池１０２４の蓄電量の第１の下限ＳＬ１より低い蓄電池１０２４の蓄電量の第２の下限ＳＬ２を含む。蓄電池１０２４の蓄電量の第１の下限ＳＬ１は、蓄電池１０２４の蓄電量の第１の裕度ＲＴ１を有する。蓄電池１０２４の蓄電量の第２の下限ＳＬ２は、蓄電池１０２４の蓄電量の第１の裕度ＲＴ１より小さい蓄電池１０２４の蓄電量の第２の裕度を有するか、又は蓄電池１０２４の蓄電量の裕度を有しない。図４には、蓄電池１０２４の蓄電量の第２の下限ＳＬ２が蓄電池１０２４の蓄電量の裕度を有しない場合が示されている。望ましくは、蓄電池１０２４の蓄電量の第１の下限ＳＬ１は、蓄電池１０２４の実際に使用することができる蓄電容量Ｃ−Ｒより小さい第１の蓄電容量Ｃ１を放電した場合の蓄電量であり、蓄電池１０２４の蓄電量の第２の下限ＳＬ２は、蓄電池１０２４の実際に使用することができる蓄電容量Ｃ−Ｒと同じ第２の蓄電容量Ｃ２を放電した場合の蓄電量である。第１の蓄電容量Ｃ１は、蓄電池１０２４の絶対容量Ｃから蓄電池１０２４の残留容量Ｒ及び第１の裕度ＲＴ１を減じた蓄電容量であり、第２の蓄電容量Ｃ２は、蓄電池１０２４の絶対容量Ｃから蓄電池１０２４の残留容量Ｒを減じた蓄電容量である。ここでいう絶対容量Ｃは、製品容量とも呼ばれ、蓄電池１０２４について決まっている、時間が経過しても変化しない容量である。また、残存容量Ｒは、時間が経過するにつれて増加する充放電することができない容量である。蓄電池１０２４の電圧が設定された電圧に達した時点で蓄電池１０２４の放電が停止され、蓄電池１０２４の電圧が設定された電圧より高い電圧に達するまでに放電することができる蓄電容量が第１の蓄電容量Ｃ１であると定義されている場合は、第２の蓄電容量Ｃ２は、蓄電池１０２４の電圧が設定された電圧に達するまでに蓄電池１０２４が放電することができる蓄電容量であると定義される。
【００４２】
ＥＭＳ１０３４による制御によれば、通常時には、第１の裕度ＴＴ１、ＲＴ１等を有する第１の制限を守ることができるように蓄電池１０２４の充放電電力の電力値、充放電時間、放熱量等が制御され、蓄電池１０２４の劣化が抑制される。また、非常時には、第１の裕度ＴＴ１、ＲＴ１等より小さい第２の裕度を有するか、又は裕度を有しない第２の制限を守ることができるように蓄電池１０２４の充放電電力の電力値、充放電時間、法熱量等が制御され、蓄電池１０２４にその性能を十分に発揮させることができる。これにより、蓄電池１０２４の劣化を抑制しながら、非常時に蓄電池１０２４にその性能を十分に発揮させることができる。例えば、非常時に、蓄電池１０２４に大きな電力を放電させることができ、蓄電池１０２４に多くの電力量を放電させることができ、蓄電池１０２４に長時間に渡って放電させることができる。
【００４３】
また、ＥＭＳ１０３４による制御によれば、電源システムに備えられる制御機器１０２２、制御機器１０２６、制御機器１０３０、ＥＭＳ１０３４等の制御機器への電力の供給を維持することができる可能性が高くなり、独立システム１０００を安定して運用することができる。例えば、当該電源システムを再起動する回数を減らし、当該電源システムの稼働率を上げることができる。また、独立システム１０００における全電源喪失の回数を減らし、独立システム１０００に備えられる機器の故障及び劣化を抑制することができる。
【００４４】
図５は、第１実施形態の変形例の独立システムに備えられるＥＭＳ、及び蓄電池を制御する制御機器を図示するブロック図である。
【００４５】
第１実施形態の変形例の独立システムにおいては、図５に図示されるように、蓄電池１０２４を制御する制御機器１０２６が、双方向変換器１１００、放熱ファン１１０２、バッテリーマネジメントシステム（ＢＭＳ）１２００及び温度センサ１２２０を備える。また、ＥＭＳ１０３４が、制御部１１２０及び設定部１１２２を備える。また、蓄電池１０２４、放熱ファン１１０２及び温度センサ１２２０が、電池モジュール１２１０を構成する。第１実施形態の変形例の独立システムにおいては、ＥＭＳ１０３４及びＢＭＳ１２００が蓄電池１０２４の制御装置となる。
【００４６】
第１実施形態の変形例の独立システムにおいては、ＥＭＳ１０３４に備えられる制御部１１２０が、双方向変換器１１００に対して指令を出力し、蓄電池１０２４の充放電電力の電力値及び充放電時間を制御する。また、ＢＭＳ１２００が、放熱ファン１１０２に対して指令を出力し、蓄電池１０２４の放熱量を制御する。ＢＭＳ１２００は、温度センサ１２２０から蓄電池１０２４の温度を示す温度データを取得し、取得した温度データを蓄電池１０２４の放熱量の制御に用いる。例えば、ＢＭＳ１２００は、蓄電池１０２４の温度が高くなったことを検出した場合に蓄電池１０２４の放熱量を多くする。また、ＢＭＳ１２００は、取得した温度データを、双方向変換器１１００を経由して、制御部１１２０に送信する。
【００４７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４８】
１０００  独立システム
１０２４  蓄電池
１０３４  エネルギーマネジメントシステム（ＥＭＳ）
１１００  双方向変換器
１１０２  放熱ファン
１１２０  制御部
１１２２  設定部
１２００  バッテリーマネジメントシステム（ＢＭＳ）
【図１】
2020080010.tif 000003
【図２】
2020080010.tif 000004
【図３】
2020080010.tif 000005
【図４】
2020080010.tif 000006
【図５】
2020080010.tif 000007
【手続補正書】
【提出日】令和3年4月14日(2021.4.14)
【手続補正１】
【補正対象書類名】明細書
【補正対象項目名】全文
【補正方法】変更
【補正の内容】
【発明の詳細な説明】
【技術分野】
【０００１】
本発明は、蓄電池の制御装置及び蓄電池の制御方法に関する。
【背景技術】
【０００２】
独立システムは、離島、遠隔地等に構築され、他の系統に連系していない。独立システムは、独立系統、独立電力系統等とも呼ばれる。
【０００３】
独立システムは、多くの場合は、再生可能エネルギー発電機、蓄電池、制御機器及び負荷を備える。再生可能エネルギー発電機、蓄電池及び制御機器は、電力を供給する電源システムを構成する。制御機器は、再生可能エネルギー発電機及び蓄電池を制御する。再生可能エネルギー発電機は、電力を発電する。蓄電池は、再生可能エネルギー発電機により発電された電力により充電される。制御機器及び負荷には、再生可能エネルギー発電機により発電された電力、及び蓄電池が放電した電力が供給される。
【０００４】
蓄電池の充放電電力の電力値、充放電時間、放熱量等は、蓄電池の温度の上限、蓄電量の下限等を含む制限を守ることができるように制御される。制限は、蓄電池の劣化、故障等を抑制するための裕度を有するように設定される。例えば、蓄電池がナトリウム−硫黄電池である場合は、蓄電池の温度の上限が、ナトリウム−硫黄電池が動作する３７０℃に対して裕度を有する３４０℃に設定される。
【０００５】
特許文献１に記載された技術においては、ナトリウム−硫黄電池モジュールであるモジュールの最高到達温度が、その運転時において３４０℃〜３７０℃に設定される（段落００３１及び００４０）。これにより、常に電池の充放電効率が高い状態でモジュールが運転される（段落００３１）。
【０００６】
特許文献１は、モジュール温度が３７０℃を超えて上昇すると、単電池を構成する部材の劣化の進行が早くなることに言及する（段落００３１）。また、特許文献１は、モジュールが３４０℃未満の温度で運転されると、充放電効率が上がらず、モジュール自体の持つ性能、又はモジュールを構成する単電池の性能を十分に発揮できないことに言及する（段落００３１）。特許文献１に記載された技術においては、モジュールの放熱量の変更が、断熱容器上蓋が有する空洞部の真空度を調整することにより行われる（段落００３３−００３５）。
【０００７】
特許文献２に記載された技術においては、集合電池が内蔵された筐体内の温度が一定の許容範囲に維持される（段落００２８）。特許文献２に記載された技術においては、蓄電池の温度が高くなる時期に先駆けて放熱量を多くするようにファンを備える放熱装置が制御される（段落００２０及び００３６）。
【０００８】
特許文献３は、ナトリウム−硫黄電池の絶対容量は一定であるが、ナトリウム−硫黄電池の残留容量は時間経過とともに増加することに言及する（段落００３２）。また、特許文献３は、ナトリウム−硫黄電池の設計においては、使用可能容量に対して裕度を考慮し、残留容量が増加する分は裕度で補い、最終年まで使用可能容量を確保することに言及する（段落００３２）。
【０００９】
特許文献４に記載された技術においては、ナトリウム−硫黄電池の放電中の温度が測定され、放電深度がカウントされ、ナトリウム−硫黄電池の放電中の両端間の作動電圧が内部抵抗の温度による補正及び放電深度による補正を加味した補正電圧に達した時点で放電が停止される（段落００１１）。
【先行技術文献】
【特許文献】
【００１０】
【特許文献１】特開平１１−５４１４６号公報
【特許文献２】国際公開第２０１６／１３６５０７号
【特許文献３】国際公開第２０１０／１０９９７７号
【特許文献４】特開２０００−１８２６６２号公報
【発明の概要】
【発明が解決しようとする課題】
【００１１】
蓄電池の温度の上限、蓄電量の下限等を含む制限は、蓄電池の劣化、故障等を抑制することに役立つが、低い頻度で発生する非常時に蓄電池にその性能を十分に発揮させることを妨げる。
【００１２】
例えば、独立系統において停電が発生した場合は、蓄電池から制御機器及び負荷に電力が供給される。このため、停電が長時間に渡って続いた場合は、蓄電池の放電が長時間に渡って続き、制限を守るために蓄電池の放電を停止しなければならない場合がある。例えば、蓄電池の温度がその上限より高くなることを避けるために、蓄電池の性能を十分に発揮させることなく蓄電池の放電を停止しなければならない場合がある。また、蓄電池の蓄電量がその下限より低くなることを避けるために、蓄電池の性能を十分に発揮させることなく蓄電池の放電を停止しなければならない場合がある。そして、蓄電池の放電を停止しなければならなくなった場合は、制御機器への電力の供給が絶たれ、電源システムを構成する機器の劣化、故障等が起こる場合がある。
【００１３】
この問題は、独立システムに備えられる蓄電池以外の蓄電池においても生じる。
【００１４】
本発明は、この問題に鑑みてなされた。本発明が解決しようとする課題は、蓄電池の劣化を抑制しながら、非常時に蓄電池にその性能を十分に発揮させることである。
【課題を解決するための手段】
【００１５】
本発明は、蓄電池の制御装置に向けられる。
【００１６】
蓄電池の制御装置は、制御部及び設定部を備える。
【００１７】
制御部は、蓄電池の温度の上限及び蓄電量の下限の少なくとも一方を含む制限が守られるように蓄電池の充放電電力の電力値及び充放電時間を制御する。
【００１８】
設定部は、通常時には、制限を第１の裕度を有する第１の制限に設定する。また、設定部は、非常時には、制限を第１の裕度より小さい第２の裕度を有するか、又は裕度を有しない第２の制限に設定する。
【００１９】
本発明は、蓄電池の制御方法にも向けられる。
【発明の効果】
【００２０】
本発明によれば、通常時には、第１の裕度を有する第１の制限が守られるように蓄電池の充放電電力の電力値及び充放電時間が制御されることで、蓄電池の劣化が抑制される。また、非常時には、第１の裕度より小さい第２の裕度を有するか、又は裕度を有しない第２の制限が守られるように蓄電池の充放電電力の電力値及び充放電時間が制御されることで、非常時ではあっても蓄電池の性能が十分に発揮される。これにより、通常時における蓄電池の劣化を抑制しながら、非常時においても蓄電池にその性能を十分に発揮させることができる。
【００２１】
この発明の目的、特徴、局面及び利点は、以下の詳細な説明と添付図面とによって、より明白となる。
【図面の簡単な説明】
【００２２】
【図１】独立システムを図示するブロック図である。
【図２】独立システムに備えられるエネルギーマネジメントシステム（ＥＭＳ）、及び蓄電池を制御する制御機器を図示するブロック図である。
【図３】独立システムにおいて設定される蓄電池の温度の上限の例を説明する図である。
【図４】独立システムにおいて設定される蓄電池の蓄電量の下限の例を説明する図である。
【図５】変形例の独立システムに備えられるＥＭＳ、及び蓄電池を制御する制御機器を図示するブロック図である。
【発明を実施するための形態】
【００２３】
１  独立システム
図１は、本実施形態の独立システムを図示するブロック図である。
【００２４】
図１に図示される独立システム１０００は、再生可能エネルギー発電機１０２０、再生可能エネルギー発電機１０２０を制御する制御機器１０２２、蓄電池１０２４、蓄電池１０２４を制御する制御機器１０２６、発電機１０２８、発電機１０２８を制御する制御機器１０３０、負荷１０３２、エネルギーマネジメントシステム（ＥＭＳ）１０３４及び配電線１０３６を備える。独立システム１０００がこれらの要素とは異なる要素を備えてもよい。独立システム１０００が、追加の再生可能エネルギー発電機、及び追加の再生可能エネルギー発電機を制御する制御機器を備えてもよい。独立システム１０００が、追加の蓄電池、及び追加の蓄電池を制御する制御機器を備えてもよい。独立システム１０００が、追加の発電機、及び追加の発電機を制御する制御機器を備えてもよい。発電機１０２８及び制御機器１０３０が省略されてもよい。独立システム１０００が、追加の負荷を備えてもよい。
【００２５】
再生可能エネルギー発電機１０２０、制御機器１０２２、蓄電池１０２４、制御機器１０２６、発電機１０２８、制御機器１０３０、負荷１０３２及びＥＭＳ１０３４は、配電線１０３６に電気的に接続されている。これにより、再生可能エネルギー発電機１０２０及び発電機１０２８により発電された電力で蓄電池１０２４を充電することができる。また、再生可能エネルギー発電機１０２０及び発電機１０２８により発電された電力、並びに蓄電池１０２４が放電した電力を、制御機器１０２２、制御機器１０２６、制御機器１０３０、負荷１０３２及びＥＭＳ１０３４に供給することができる。
【００２６】
再生可能エネルギー発電機１０２０は、太陽光発電機、風力発電機、流れ込み式水力発電機、地熱発電機、太陽熱発電機、バイオマス発電機等である。
【００２７】
蓄電池１０２４は、ナトリウム−硫黄電池、レドックスフロー電池、リチウムイオン電池、鉛電池、ニッケル水素電池等である。
【００２８】
発電機１０２８は、再生可能エネルギー発電機１０２０とは異なり、発電電力を調整することができる発電機である。発電機１０２８は、ディーゼル発電機、ガスタービン発電機、貯水式水力発電機、調整池式水力発電機等である。
【００２９】
制御機器１０２２及び１０３０の各々は、通信機器、出力調整機器等を備える。制御機器１０２６は、通信機器、双方向変換器、ヒーター、放熱ファン、空調機等を備える。
【００３０】
２  蓄電池の充放電電力の電力値、充放電時間及び放熱量の制御
図２は、独立システムに備えられるエネルギーマネジメントシステム、及び蓄電池を制御する制御機器を図示するブロック図である。
【００３１】
蓄電池１０２４を制御する制御機器１０２６は、双方向変換器１１００及び放熱ファン１１０２を備える。双方向変換器１１００は、入力された指令にしたがって、蓄電池１０２４が放電した電力を配電線１０３６に供給し、配電線１０３６から供給された電力で蓄電池１０２４を充電する。蓄電池１０２４の充放電電力の電力値は、双方向変換器１１００に入力された指令に応じて変化する。放熱ファン１１０２は、入力された指令にしたがって、蓄電池１０２４に放熱させるための空気流を生成する。蓄電池１０２４の放熱量は、放熱ファン１１０２に入力された指令に応じて変化する。
【００３２】
ＥＭＳ１０３４は、蓄電池１０２４の制御装置となり、制御部１１２０及び設定部１１２２を備える。制御部１１２０及び設定部１１２２は、コンピュータにプログラムを実行させることにより構成される。制御部１１２０及び設定部１１２２の全部又は一部がプログラムを実行しないハードウェアにより構成されてもよい。制御部１１２０及び設定部１１２２が、制御機器１０２６に備えられてもよい。
【００３３】
制御部１１２０は、双方向変換器１１００に対して指令を出力する。これにより、制御部１１２０は、蓄電池１０２４の充放電電力の電力値及び充放電時間を制御する。また、制御部１１２０は、放熱ファン１１０２に対して指令を出力する。これにより、制御部１１２０は、蓄電池１０２４の放熱量を制御する。
【００３４】
制御部１１２０は、蓄電池１０２４の温度の上限及び蓄電量の下限の少なくとも一方を含む制限が守られるように、蓄電池１０２４の充放電電力の電力値及び充放電時間を制御し、望ましくはこれらに加えて蓄電池１０２４の放熱量を制御する。蓄電池１０２４の温度の上限は、最高許容温度上限、最高到達温度等とも呼ばれる。
【００３５】
蓄電池１０２４が充電及び放電の少なくとも一方が行われる場合に温度が上昇する蓄電池である場合は、制御部１１２０による制御において守られねばならない制限（必須的制限）は、蓄電池１０２４の温度の上限を含む。充電及び放電の少なくとも一方が行われる場合に温度が上昇する蓄電池は、充電及び放電の少なくとも一方が行われる場合に発熱し、発熱する際の発熱量が環境への放熱量より大きい蓄電池である。
【００３６】
充電反応が発熱反応である蓄電池、及び充電反応が吸熱反応であるがジュール熱が吸熱反応により発生する吸熱より大きい蓄電池は、充電が行われる場合に発熱する蓄電池になる。放電反応が発熱反応である蓄電池、及び放電反応が吸熱反応であるがジュール熱が吸熱反応により発生する吸熱より大きい蓄電池は、放電が行われる場合に発熱する蓄電池になる。
【００３７】
ナトリウム−硫黄電池、リチウムイオン電池等は、通常の環境に設置された場合は、充電及び放電の少なくとも一方が行われる場合に温度が上昇する蓄電池となるが、極端に寒冷な環境に設置された場合は、充電及び放電の少なくとも一方が行われる場合に温度が上昇する蓄電池とならない場合もある。
【００３８】
ナトリウム−硫黄電池においては、条件にもよるが、多くの場合は、充電反応により発生する吸熱がジュール熱よりも大きい。このため、ナトリウム−硫黄電池は、多くの場合は、放電が行われる場合に温度が上昇し充電が行われる場合に温度が下降する蓄電池である。
【００３９】
必須的制限が蓄電池１０２４の温度の上限を含む場合は、制御部１１２０は、設定された温度の上限が守られるように、蓄電池１０２４の充放電電力の電力値及び充放電時間を制御し、望ましくはこれらに加えて蓄電池１０２４の放熱量を制御する。これにより、蓄電池１０２４の温度は、設定された上限以下に維持される。
【００４０】
必須的制限が蓄電池１０２４の蓄電量の下限を含む場合は、制御部１１２０は、設定された蓄電量の下限が守られるように蓄電池１０２４の充放電電力の電力値及び充放電時間を制御する。これにより、蓄電池１０２４の蓄電量は、設定された下限以上に維持される。
【００４１】
設定部１１２２は、通常時には、必須的制限を第１の裕度を有する第１の制限に設定する。一方、非常時には、必須的制限を一時的に第１の制限より緩和することが許容され、設定部１１２２は、当該必須的制限を、第１の裕度より小さい第２の裕度を有するか、又は裕度を有しない第２の制限に設定する。通常時とは、例えば非停電時であり、非常時とは、例えば停電時である。非常時には、通常時には利用されない第１の裕度の少なくとも一部が利用される。第１の制限は、多数回設定することが許容される常用の制限である。第２の制限は、限られた回数だけ設定することが許容される一時的な制限である。
【００４２】
図３は、独立システムにおいて設定される蓄電池の温度の上限の例を説明する図である。
【００４３】
必須的制限が蓄電池１０２４の温度の上限を含む場合は、図３に示されるように、蓄電池１０２４の温度について、第１の上限ＴＵ１と、第１の上限ＴＵ１より高い温度である第２の上限ＴＵ２とが設定される。
【００４４】
第１の上限ＴＵ１は、第１の裕度ＴＴ１を有する。第２の上限ＴＵ２は、第１の裕度ＴＴ１より小さい第２の裕度を有するか、又は裕度を有しない。図３には、第２の上限ＴＵ２が裕度を有しない場合が示されている。
【００４５】
蓄電池１０２４がナトリウム−硫黄電池である場合は、望ましくは、第１の上限ＴＵ１は３４０℃であり、第２の上限ＴＵ２は３４０℃より高く３７０℃以下である。ナトリウム−硫黄電池は、放電時に発熱反応を起こす蓄電池であるので、蓄電池１０２４がナトリウム−硫黄電池である場合は、第１の上限ＴＵ１及び第２の上限ＴＵ２は、主に放電時に適用される。
【００４６】
図４は、独立システムにおいて設定される蓄電池の蓄電量の下限の例を説明する図である。
【００４７】
必須的制限が蓄電池１０２４の蓄電量の下限を含む場合は、図４に示されるように、蓄電池１０２４の蓄電量について、第１の下限ＳＬ１と、第１の下限ＳＬ１より低い第２の下限ＳＬ２とが設定される。
【００４８】
第１の下限ＳＬ１は、第１の裕度ＲＴ１を有する。第２の下限ＳＬ２は、第１の裕度ＲＴ１より小さい蓄電池１０２４の蓄電量の第２の裕度を有するか、又は蓄電池１０２４の蓄電量の裕度を有しない。図４には、第２の下限ＳＬ２が蓄電池１０２４の蓄電量の裕度を有しない場合が示されている。
【００４９】
蓄電池１０２４の絶対容量Ｃとし、残存容量Ｒとするとき、絶対容量Ｃから残留容量Ｒを減じた値が、蓄電池１０２４において実際に使用可能な蓄電容量（使用可能容量）Ｃ−Ｒであり、望ましくは、第１の下限ＳＬ１は、係る使用可能容量Ｃ−Ｒよりも小さい第１の蓄電容量Ｃ１を放電した場合の蓄電量に設定され、一方、第２の下限ＳＬ２は、使用可能容量Ｃ−Ｒと同じ大きさの第２の蓄電容量Ｃ２を放電した場合の蓄電量に設定される。
【００５０】
ここで、絶対容量Ｃは、製品容量とも呼ばれ、蓄電池１０２４について決まっている、時間が経過しても変化しない容量である。また、残存容量Ｒは、時間が経過するにつれて増加する、充放電することができない容量である。
【００５１】
係る場合、第１の蓄電容量Ｃ１は、使用可能容量Ｃ−Ｒからさらに第１の裕度ＲＴ１を減じた蓄電容量でもある。第２の蓄電容量Ｃ２は、使用可能容量と同じ蓄電容量である。
【００５２】
蓄電池１０２４の電圧がある設定値に達した時点で、蓄電池１０２４の放電が停止される場合、第1の蓄電容量Ｃ１は、電圧が当該設定値よりも高い第１の電圧に達するまでに蓄電池１０２４が放電することができる蓄電容量であると定義され、第２の蓄電容量Ｃ２は、電圧が当該設定値に等しい第２の電圧に達するまでに蓄電池１０２４が放電することができる蓄電容量であると定義される。
【００５３】
通常時には、第１の裕度ＴＴ１、ＲＴ１等を含む第１の制限が守られるように、蓄電池１０２４の充放電電力の電力値、充放電時間、放熱量等が制御される。これにより、通常時における蓄電池１０２４の劣化が抑制される。一方、非常時には、第１の裕度ＴＴ１、ＲＴ１等より小さい第２の裕度を有するか、又は裕度を有しない第２の制限が守られるように、蓄電池１０２４の充放電電力の電力値、充放電時間、放熱量等が制御される。これにより、非常時ではあっても、蓄電池１０２４の性能は十分に発揮されるようになっている。
【００５４】
すなわち、ＥＭＳ１０３４による制御によれば、通常時における蓄電池１０２４の劣化を抑制しながら、非常時においても蓄電池１０２４にその性能を十分に発揮させることができる。例えば、非常時に、蓄電池１０２４に大きな電力を放電させることができ、蓄電池１０２４に多くの電力量を放電させることができ、蓄電池１０２４に長時間に渡って放電させることができる。
【００５５】
また、ＥＭＳ１０３４による制御によれば、電源システムに備えられる制御機器１０２２、制御機器１０２６、制御機器１０３０、さらにはＥＭＳ１０３４それ自体等の制御機器への電力の供給を維持することができる可能性が高くなるので、独立システム１０００を安定して運用することができる。例えば、当該電源システムを再起動する回数を減らし、当該電源システムの稼働率を上げることができる。また、独立システム１０００における全電源喪失の回数を減らし、独立システム１０００に備えられる機器の故障及び劣化を抑制することができる。
【００５６】
図５は、変形例の独立システムに備えられるＥＭＳ、及び蓄電池を制御する制御機器を図示するブロック図である。
【００５７】
変形例の独立システムにおいては、図５に図示されるように、蓄電池１０２４を制御する制御機器１０２６が、双方向変換器１１００、放熱ファン１１０２、バッテリーマネジメントシステム（ＢＭＳ）１２００及び温度センサ１２２０を備える。また、ＥＭＳ１０３４が、制御部１１２０及び設定部１１２２を備える。また、蓄電池１０２４、放熱ファン１１０２及び温度センサ１２２０が、電池モジュール１２１０を構成する。変形例の独立システムにおいては、ＥＭＳ１０３４及びＢＭＳ１２００が蓄電池１０２４の制御装置となる。
【００５８】
変形例の独立システムにおいては、ＥＭＳ１０３４に備えられる制御部１１２０が、双方向変換器１１００に対して指令を出力し、蓄電池１０２４の充放電電力の電力値及び充放電時間を制御する。また、ＢＭＳ１２００が、放熱ファン１１０２に対して指令を出力し、蓄電池１０２４の放熱量を制御する。ＢＭＳ１２００は、温度センサ１２２０から蓄電池１０２４の温度を示す温度データを取得し、取得した温度データを蓄電池１０２４の放熱量の制御に用いる。例えば、ＢＭＳ１２００は、蓄電池１０２４の温度が高くなったことを検出した場合に蓄電池１０２４の放熱量を多くする。また、ＢＭＳ１２００は、取得した温度データを、双方向変換器１１００を経由して、制御部１１２０に送信する。
【００５９】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６０】
１０００  独立システム
１０２４  蓄電池
１０３４  エネルギーマネジメントシステム（ＥＭＳ）
１１００  双方向変換器
１１０２  放熱ファン
１１２０  制御部
１１２２  設定部
１２００  バッテリーマネジメントシステム（ＢＭＳ）
【手続補正２】
【補正対象書類名】特許請求の範囲
【補正対象項目名】全文
【補正方法】変更
【補正の内容】
【特許請求の範囲】
【請求項１】
蓄電池の温度の上限及び蓄電量の下限の少なくとも一方を含む制限が守られるように前記蓄電池の充放電電力の電力値及び充放電時間を制御する制御部と、
通常時には前記制限を第１の裕度を有する第１の制限に設定し、非常時には前記制限を前記第１の裕度より小さい第２の裕度を有するか、又は裕度を有しない第２の制限に設定する設定部と、
を備える蓄電池の制御装置。
【請求項２】
請求項１に記載の蓄電池の制御装置であって、
前記制限は、前記蓄電池の温度の上限を含み、
前記制御部は、前記蓄電池の温度の上限が守られるように前記蓄電池の充放電電力の電力値及び充放電時間を制御し、
前記第１の制限は、前記蓄電池の温度の第１の上限を含み、
前記第２の制限は、前記蓄電池の温度の第１の上限より高い前記蓄電池の温度の第２の上限を含む
蓄電池の制御装置。
【請求項３】
請求項２に記載の蓄電池の制御装置であって、
前記制御部は、前記蓄電池の温度の上限が守られるように前記蓄電池の放熱量をさらに制御する
蓄電池の制御装置。
【請求項４】
請求項２または請求項３に記載の蓄電池の制御装置であって、
前記蓄電池は、ナトリウム−硫黄電池であり、
前記蓄電池の温度の第１の上限は、３４０℃であり、
前記蓄電池の温度の第２の上限は、３４０℃より高く３７０℃以下である
蓄電池の制御装置。
【請求項５】
請求項１ないし請求項４のいずれかに記載の蓄電池の制御装置であって、
前記制限は、前記蓄電池の蓄電量の下限を含み、
前記制御部は、前記蓄電池の蓄電量の下限が守られるように前記蓄電池の充放電電力の電力値及び充放電時間を制御し、
前記第１の制限は、前記蓄電池の蓄電量の第１の下限を含み、
前記第２の制限は、前記蓄電池の蓄電量の第１の下限より低い前記蓄電池の蓄電量の第２の下限を含む
蓄電池の制御装置。
【請求項６】
請求項５に記載の蓄電池の制御装置であって、
前記蓄電池の蓄電量の第１の下限は、前記蓄電池が実際に使用可能な蓄電容量より小さい第１の蓄電容量を放電した場合の蓄電量であり、
前記蓄電池の蓄電量の第２の下限は、前記蓄電池が実際に使用可能な蓄電容量と同じ第２の蓄電容量を放電した場合の蓄電量である
蓄電池の制御装置。
【請求項７】
請求項５または請求項６に記載の蓄電池の制御装置であって、
前記第１の蓄電容量は、前記蓄電池の絶対容量から前記蓄電池の残留容量及び裕度を減じた蓄電容量であり、
前記第２の蓄電容量は、前記蓄電池の絶対容量から前記蓄電池の残留容量を減じた蓄電容量である
蓄電池の制御装置。
【請求項８】
請求項５ないし請求項７のいずれかに記載の蓄電池の制御装置であって、
前記第１の蓄電容量は、前記蓄電池の電圧が設定された電圧より高い電圧に達するまでに前記蓄電池が放電することができる蓄電容量であり、
前記第２の蓄電容量は、前記蓄電池の電圧が設定された電圧に達するまでに前記蓄電池が放電することができる蓄電容量である
蓄電池の制御装置。
【請求項９】
請求項１ないし請求項８のいずれかに記載の蓄電池の制御装置であって、
前記通常時は、非停電時であり、
前記非常時は、停電時である
蓄電池の制御装置。
【請求項１０】
蓄電池の温度の上限及び蓄電量の下限の少なくとも一方を含む制限が守られるように前記蓄電池の充放電電力の電力値及び充放電時間を制御する工程と、
通常時には前記制限を第１の裕度を有する第１の制限に設定し、非常時には前記制限を前記第１の裕度より小さい第２の裕度を有するか、又は裕度を有しない第２の制限に設定する工程と、
を備える蓄電池の制御方法。
【国際調査報告】
2020080010.tif 000008
2020080010.tif 000009